(57)【要約】【課題】  秘匿画像を着色させて現出させ得るスクラッチ印刷物において、金属体により摩擦することで被印刷体に印刷された写真様の濃淡画像を現出し得るフォトスクラッチ印刷物の提供。【解決手段】  酸化チタンを含む白インクによりベタ刷り印刷されたコート層の上には、濃淡画像（３）の基本階調（１１）を形成するために酸化チタンを含む白インクにより網点印刷された第１網点印刷部と、濃淡画像（３）の基本階調よりも濃い階調（１２）を形成するために第１網点印刷部上に酸化チタンを含む白インクにより網点印刷された第２網点印刷部と、濃淡画像（３）の最も淡い階調（１３）を形成するために少なくともコート層上にニスによりベタ刷り印刷されたニス層と、を含む。【選択図】  図２
0003165651.tif 000002
【実用新案登録請求の範囲】
【請求項１】
金属体により摩擦することで被印刷体に印刷された写真様の濃淡画像を現出し得るフォトスクラッチ印刷物であって、
酸化チタンを含む白インクによりベタ刷り印刷されたコート層と、
前記濃淡画像の基本階調を形成するために前記コート層上に酸化チタンを含む白インクにより網点印刷された第１網点印刷部と、
前記濃淡画像の基本階調よりも濃い階調を形成するために前記第１網点印刷部上に酸化チタンを含む白インクにより網点印刷された第２網点印刷部と、
前記濃淡画像の最も淡い階調を形成するために少なくとも前記コート層上にニスによりベタ刷り印刷されたニス層と、を含むことを特徴とするフォトスクラッチ印刷物。
【請求項２】
前記コート層は、第１コート層と、前記第１コート層よりも油分を多く含む第２コート層との複層からなることを特徴とする請求項１記載のフォトスクラッチ印刷物。
【請求項３】
前記ニス層は、複層からなることを特徴とする請求項１又は２記載のフォトスクラッチ印刷物。
【請求項４】
前記第１網点印刷部と前記第２網点印刷部とは酸化チタンを同量含むことを特徴とする請求項１乃至３のうちの１つに記載のフォトスクラッチ印刷物。
【請求項５】
前記第１網点印刷部と前記第２網点印刷部とは異なる酸化チタンの量を含むことを特徴とする請求項１乃至３のうちの１つに記載のフォトスクラッチ印刷物。
【請求項６】
前記濃淡画像は、前記被印刷体の少なくとも一部だけに与えられていることを特徴とする請求項１乃至５のうちの１つに記載のフォトスクラッチ印刷物。
【請求項７】
前記被印刷体は、地図印刷物であることを特徴とする請求項６記載のフォトスクラッチ印刷物。
【考案の詳細な説明】
【技術分野】
【０００１】
本考案は、金属体により摩擦することで被印刷体に印刷された写真様の濃淡画像を現出し得るフォトスクラッチ印刷物に関する。
【背景技術】
【０００２】
スクラッチ印刷物は、金属硬貨などで特定部位を摩擦することで、目視できない「当たり」や「ハズレ」などといった文字や記号など（以下、「秘匿画像」と称する）を目視できるように現出させる印刷物である。
【０００３】
例えば、特許文献１では、紙媒体などの被印刷体の表面に秘匿画像を印刷し、この上にアルミニウムなどの金属粒子を含む光を透過しないペースト状の銀色インクを厚塗りして秘匿画像を目視できないようにしたスクラッチ印刷物が開示されている。銀色インクを金属硬貨などで摩擦して削り取ると、秘匿画像が現出する。同様に、特許文献２では、ペースト状の銀色インクに変えて、秘匿画像の上にやはり光を透過しないアルミニウムからなる金属箔を加熱・加圧し転写して与えたスクラッチ印刷物を開示している。かかる場合であっても、金属箔を金属硬貨などで摩擦して削り取ることで、秘匿画像が現出する。金属箔はペースト状の金属インクよりも剥がれ難く、意図しない摩擦で秘匿画像が表れてしまうことを防止できる。
【０００４】
ところで、特許文献１及び２のような秘匿画像の上に削り取り可能な上塗層を与えるスクラッチ印刷物は、上塗層の光透過率を抑えることで、更に効果的に秘匿画像の目視をできないようにでき得る。そこで、景品の授与のための「くじ」や、金券などの秘匿性の要求の高い用途に多く用いられている。その一方で、上塗層を削り取ったときに発生する削りかすによる衛生上及び美的上の問題点が指摘されている。
【０００５】
そこで、一般的な金属よりも硬度の高い材料からなる粒子、例えば、酸化チタンなどの無機材料粒子を含む白インクで紙媒体などの被印刷体の表面に秘匿画像を印刷したスクラッチ印刷物も提案されている。かかるスクラッチ印刷物では、白い紙媒体などの被印刷体の上では白インクにより印刷された秘匿画像は目視できないが、金属硬貨などで秘匿画像部分を摩擦すると、金属硬貨が無機材料粒子で削られて金属粉が生じ、白インクに吸着して着色させることから、秘匿画像を目視できるように現出させるのである。このような着色させて秘匿画像を現出させ得るスクラッチ印刷物は、削りかすを発生させず、上記したような衛生上及び美的上の問題点を解決できる。
【０００６】
同様に秘匿画像を着色させて現出させ得るスクラッチ印刷物として、例えば、特許文献３では、紙媒体などの被印刷体の表面に酸化チタン粒子を含む白色インクによりベタ印刷をして、その上に秘匿画像を象るようにオーバープリントニス（ＯＰニス）を与えたスクラッチ印刷物が開示されている。つまり、秘匿画像はネガパターンとしてＯＰニスにより与えられる。また、特許文献４では、紙媒体などの被印刷体の表面に酸化チタン粒子を含む白色インクによりベタ印刷をして、その上に秘匿画像を象るようにオーバープリントニス（ＯＰニス）を与え、更に、秘匿画像上に酸化チタン粒子を含む白色インクによる乗せ白層を与えたスクラッチ印刷物が開示されている。
【先行技術文献】
【特許文献】
【０００７】
【特許文献１】特開平１１−１５７２６５号公報
【特許文献２】特開２００２―１８７３８９号公報
【特許文献３】特開２００４−３４３８４号公報
【特許文献４】特許第４５７７９０９号公報
【考案の概要】
【考案が解決しようとする課題】
【０００８】
特許文献１及び２に開示されたスクラッチ印刷物では、上塗層により秘匿画像が透過してしまわない限り、濃淡画像からなる写真画像やカラー画像のような秘匿画像を上塗層の削り取りにより現出させ得る。一方、特許文献３及び４に開示されたスクラッチ印刷物では、カラー画像はもちろん、濃淡画像からなる写真画像でさえも秘匿画像として現出させ得るようにはできなかった。
【０００９】
そこで、本考案の目的とするところは、秘匿画像を着色させて現出させ得るスクラッチ印刷物において、金属体により摩擦することで被印刷体に印刷された写真様の濃淡画像を現出し得るフォトスクラッチ印刷物を提供することである。
【課題を解決するための手段】
【００１０】
本考案によるフォトスクラッチ印刷物は、金属体により摩擦することで被印刷体に印刷された写真様の濃淡画像を現出し得るフォトスクラッチ印刷物であって、酸化チタンを含む白インクによりベタ刷り印刷されたコート層と、前記濃淡画像の基本階調を形成するために前記コート層上に酸化チタンを含む白インクにより網点印刷された第１網点印刷部と、前記濃淡画像の基本階調よりも濃い階調を形成するために前記第１網点印刷部上に酸化チタンを含む白インクにより網点印刷された第２網点印刷部と、前記濃淡画像の最も淡い階調を形成するために少なくとも前記コート層上にニスによりベタ刷り印刷されたニス層と、を含むことを特徴とする。
【００１１】
かかる考案によれば、コート層により酸化チタンの含有量の高い白色インクによる網点印刷部を与えてもチョーキング（表面浮き）を防止できて、従来のスクラッチ印刷物に比較して、金属体による摩擦で白色インクをより黒く着色させ得る。つまり、かかる白インクで秘匿画像を網点印刷することで、網点の密度で濃淡画像を明瞭に現出させ得るのである。つまり、秘匿画像を着色させて現出させ得るスクラッチ印刷物において、金属体により摩擦することで被印刷体に印刷された写真様の濃淡画像を現出し得るフォトスクラッチ印刷物を得られる。
【００１２】
上記した考案において、前記コート層は、第１コート層と、前記第１コート層よりも油分を多く含む第２コート層との複層からなることを特徴としてもよい。かかる考案によれば、コート層により酸化チタンの含有量の高い白色インクによる網点印刷部を与えてもパイリングやモットリングをより防止できる。つまり、秘匿画像を着色させて現出させ得るスクラッチ印刷物において、金属体により摩擦することで被印刷体に印刷された写真様の濃淡画像を現出し得るフォトスクラッチ印刷物を得られる。
【００１３】
上記した考案において、前記ニス層は、複層からなることを特徴としてもよい。かかる考案によれば、ニス層を与えられた部分の着色を抑制し、より明瞭に濃淡画像を現出し得る。つまり、秘匿画像を着色させて現出させ得るスクラッチ印刷物において、金属体により摩擦することで被印刷体に印刷された写真様の濃淡画像を現出し得るフォトスクラッチ印刷物を得られる。
【００１４】
上記した考案において、前記第１網点印刷部と前記第２網点印刷部とは酸化チタンを同量含むことを特徴としてもよい。また、前記第１網点印刷部と前記第２網点印刷部とは異なる酸化チタンの量を含むことを特徴としてもよい。かかる考案によれば、写真様の濃淡画像を現出させたときの表現バリエーションを与え得る。
【００１５】
上記した考案において、前記濃淡画像は、前記被印刷体の少なくとも一部だけに与えられていることを特徴としてもよい。また、前記被印刷体は、地図印刷物であることを特徴としてもよい。かかる考案によれば、デザインの自由度を高めたフォトスクラッチ印刷物を提供できる。
【図面の簡単な説明】
【００１６】
【図１】本考案によるフォトスクラッチ印刷物の秘匿画像の現出前の外観を示す図である。
【図２】本考案によるフォトスクラッチ印刷物の秘匿画像の現出後の外観を示す図である。
【図３】本考案によるフォトスクラッチ印刷物の要部を示す断面図である。
【図４】本考案によるフォトスクラッチ印刷物の製造方法を示す工程図である。
【図５】本考案によるフォトスクラッチ印刷物の製造装置を示す図である。
【考案を実施するための形態】
【００１７】
本考案による１つの実施例のフォトスクラッチ印刷物について図１乃至図５を用いてその詳細を説明する。
【００１８】
図１及び図２に示すように、スクラッチ印刷物１は、硬貨のような金属体でフォトスクラッチ部１０を摩擦することで、例えば、犬の写真のような濃淡画像（秘匿画像）３を現出し得る紙媒体からなる印刷物である。ここで、印刷用紙２は、好ましくは、坪量１８０〜３００ｇ／ｍ２程度の厚さの紙媒体であり、表面を白く見せるために発光剤（蛍光増白剤）を含み得る。フォトスクラッチ部１０以外の部分１０’には、目視できるカラーや白黒の文字や写真などを印刷で与えておくことができる。
【００１９】
図３を合わせて参照すると、フォトスクラッチ部１０は、印刷用紙２の表面上にベタ印刷により与えられる第１コート層４及び第２コート層５、網点印刷により与えられる第１乗せ白部６及び第２乗せ白部７、ベタ印刷により与えられる第１ニス層８及び第２ニス層９からなる。
【００２０】
第１コート層４は、白色顔料である酸化チタン粒子を含む白色インクを用いてベタ印刷によりフォトスクラッチ部１０の全面を覆うように与えられる。第２コート層５は、第１コート層４を与えた白色インクと比較して、油分をより多く含む白色インクを用いてベタ印刷により、第１コート層４の表面を覆うように与えられる。ここで、白色顔料である酸化チタン粒子を含む白色インクによる印刷用紙２の上のベタ印刷を、油分を変え白色インクからなる第１コート層４及び第２コート層５の２層で与えることにより、ベタ印刷のモットリングやパイリングを防止できるのである。つまり、第２コート層５の白色インク中の酸化チタン粒子の量を増やしても、良好な印刷が可能となる。
【００２１】
第１乗せ白部６は、第２コート層５の上に与えられ、秘匿画像としての写真様の濃淡画像３に対応する基本階調パターン１１の部分に酸化チタン粒子を含む白色インクにより網点印刷で与えられる。詳細には、濃淡画像３の階調に合わせて網点の大きさ（密度）を変化させた網点印刷により与えられる。更に、第２乗せ白部７は、第１乗せ白部６の上にあって、基本階調パターン１１のより強い階調の強階調パターン１２に酸化チタン粒子を含む白色インクにより網点印刷で与えられる。これにより、第１乗せ白部６による写真様の濃淡画像３を更に強階調パターン１２により詳細に表現でき得るのである。
【００２２】
ここで、第１乗せ白部６及び第２乗せ白部７は、白色インクの酸化チタン粒子の含有量を従来以上に高めても、第１コート層４及び第２コート層５によりチョーキング（表面浮き）を防止できる。換言すれば、白色インク中の酸化チタン粒子の含有量を高めて第１乗せ白部６及び第２乗せ白部７の印刷を行うことができる。これにより、第１乗せ白部６及び第２乗せ白部７において、硬貨のような金属体で摩擦されたときに生ずる金属粉をより多く吸着させ得て、より黒く白色インクを着色させ得る。網点をより黒く発色させ得ることで、網点印刷における白黒の階調幅をより広く表現できるようになり、単調な濃淡のほとんど無い画像だけでなく、写真様の濃淡画像３であっても与え得るのである。
【００２３】
なお、第１乗せ白部６及び第２乗せ白部７は、実質的に同じ量の酸化チタン粒子を含む白色インクにより与えられるが、第２乗せ白部７の白色インクの酸化チタン粒子の量を多くしても良いし、逆に、少なくしても良い。これにより、写真様の濃淡画像３を現出させたときの表現バリエーションを与え得る。
【００２４】
第１ニス層８は、基本階調パターン１１を象るように、写真様の濃淡画像３の最も淡い階調部分となる抜きパターン１３を埋めるようにベタ印刷により与えられる。抜きパターン１３を白色で与えるのであれば、第１ニス層８は、例えば、マットメジウムに対して少量の硫酸カルシウム（焼石膏）からなる白色剤を添加して混合したマットニスが用いられ得る。第２ニス層９は、第１ニス層８の保護のために、その上から与えられる。これにより、硬貨のような金属体で摩擦されたときに抜きパターン１３は着色せず、写真様の濃淡画像３を明瞭に現出させ得るのである。
【００２５】
上記した実施例によれば、第１コート層４及び第２コート層５により酸化チタン粒子の含有量の高い白色インクによる網点印刷からなる第１乗せ白部６及び第２乗せ白部７を与えても、そのチョーキングを防止できる。つまり、従来のスクラッチ印刷物に比較して、金属体による白色インクの着色をより黒くできる。つまり、網点の密度で濃淡画像を明瞭に現出させ得て、フォトスクラッチ印刷物を得られるのである。また、従来の上塗層を与えて秘匿画像を目視できなくするスクラッチ印刷物に比較して、厚さを薄くできて取り扱いも容易である。
【００２６】
ここでスクラッチ印刷物１は地図であって、地図の一部である濃淡画像３は地図上の建造物や場所情報を示す写真などであってもよい。硬貨のような金属体で摩擦することで、かかる濃淡画像３が現出するのである。
【００２７】
次に、上記した本考案の１つの実施例によるフォトスクラッチ印刷物の製造方法について、図４に沿って、適宜、図１乃至３及び図５を参照して説明する。
【００２８】
図５に示すように、第１胴２１、第２胴２２、第３胴２３及び第４胴２４の４つの回転胴を有する印刷機２０の第３胴２３及び第４胴２４の２つの胴を使用して、印刷用紙２の表面上に第１コート層４及び第２コート層５をそれぞれ重ねてベタ印刷する（ベタ印刷ステップ：Ｓ１）。なお、第１胴２１及び第２胴２２の白色インクによる汚染を防止すべく、印刷用紙２の下流に位置する第３胴２３及び第４胴２４を使用するが、仮に、第１胴２１及び第２胴２２を使用した場合では、後続のステップで第３胴２３及び第４胴２４をより念入りに清掃しなければならない。
【００２９】
詳細には、第３胴２３のインクタンク（図示せず）には、酸化チタン粒子を添加した白色インクを充填して、第１コート層４をベタ印刷する。印刷用紙２の表面コートの状態にもよるが、典型的には、酸化チタン粒子を約３０ｖｏｌ％（以下、％と記載する）程度含む白色インクが好適である。ここで酸化チタン粒子の量が多すぎると、パイリングを生じてムラが出やすくなる。そこで、酸化チタンをそれぞれ異なる量だけ添加して練肉した白色インクを複数用意し、これらを少しずつ混ぜ合わせながらインクタンクへ入れ、最終的な白色インクを調製する。
【００３０】
第４胴２４のインクタンク（図示せず）には、第３胴２３のインクタンクに充填した白色インクに約１０％程度の油分を多く与えて流動性と転移性を向上させ第１コート層４のチョーキングの発生を抑制させ得る白色インクを充填して、第１コート層４の上に第２コート層５をベタ印刷する。この場合にあっても、第３胴２３の白色インクと同様に、酸化チタン量の異なる複数の白色インクを混ぜながらインクタンクへ入れることが好ましい。
【００３１】
第１コート層４及び第２コート層５をベタ印刷した印刷用紙は、典型的には８時間ほど乾燥させる（乾燥ステップ：Ｓ２）。かかる乾燥を十分に行うことで、後段で印刷される第１乗せ白部６及び第２乗せ白部７のチョーキングを確実に防止できる。また、第１ニス層８及び第２ニス層９についても、食いつきをより良好にできる。
【００３２】
乾燥ステップＳ２に続いて、印刷機２０の第１胴２１、第２胴２２、第３胴２３及び第４胴２４の各回転胴を洗浄した上で、第１胴２１を使用し、秘匿画像としての写真様の濃淡画像３の濃淡に対応させた網点スクリーンを用いて基本階調パターン１１として第１乗せ白部６を網点印刷する（第１乗せ白印刷ステップ：Ｓ３）。ベタ印刷ステップＳ１と同様に、酸化チタンを０〜５０％の間で異なる量だけ添加して混練した白色インクを複数用意し、これらを少しずつ混ぜ合わせながらインクタンクへ入れ、最終的な白色インクを調製する。
【００３３】
また、印刷機２０の第２胴を使用し、秘匿画像としての写真様の濃淡画像３の濃淡のうち特に濃い部分に対応させた網点スクリーンを用いて強階調パターン１２として第２乗せ白部７を網点印刷する（第２乗せ白印刷ステップ：Ｓ４）。ベタ印刷ステップＳ１や第１乗せ白印刷ステップＳ３と同様に、酸化チタンを０〜５０％の間で異なる量だけ添加して練肉した白色インクを複数用意し、これらを少しずつ混ぜ合わせながらインクタンクへ入れ、最終的な白色インクを調製する。
【００３４】
また、第３胴２３を使用して、基本階調パターン１１を象るように、最も淡い階調部分となる抜きパターン１３として第１ニス層８をベタ印刷する（第１ニス印刷ステップ：Ｓ５）。ニスは目視によるフォトスクラッチ印刷部１０の光沢や色を調整するように、マットメジウム及び焼石膏を加えたマットニスにＯＰニスを加えて用いる。典型的には、マットメジウム６７％、焼石膏３３％との比率で混合させてできたマットニスに光沢及び色を調整するためにＯＰニスを適量添加して調整される。
【００３５】
また、第４胴２４を使用して、第１ニス層８の上にさらに第２ニス層９をベタ印刷する（第２ニス印刷ステップ：Ｓ６）。ここでもニスは目視によるフォトスクラッチ印刷部１０の光沢や色を調整するように調整されるが、典型的には、第１ニス印刷ステップＳ５のニスに対して、更に、ＯＰニスを適量添加して調整される。
【００３６】
上記した製造方法によれば、網点の密度で濃淡画像３を明瞭に現出させるフォトスクラッチ印刷物１を容易に得られる。
【００３７】
ここまで本考案による代表的実施例及びこれに基づく変形例について説明したが、本考案は必ずしもこれらに限定されるものではない。当業者であれば、添付した実用新案登録請求の範囲を逸脱することなく、種々の代替実施例及び改変例を見出すことができるだろう。
【符号の説明】
【００３８】
１  フォトスクラッチ印刷物
２  印刷用紙
３  濃淡画像
４  第１コート層
５  第２コート層
６  第１乗せ白部
７  第２乗せ白部
８  第１ニス層
９  第２ニス層
１０  フォトスクラッチ部
１１  基本階調パターン
１２  強階調パターン
１３  抜きパターン
【図３】
0003165651.tif 000003
【図１】
0003165651.tif 000004
【図２】
0003165651.tif 000005
【図４】
0003165651.tif 000006
【図５】
0003165651.tif 000007